【事件の表示】
　上記当事者間の登録第２５１４４１７号商標の登録取消審判事件について、次のとおり審決する。
【結　論】
　登録第２５１４４１７号商標の商標登録は取り消す。
　審判費用は、被請求人の負担とする。
【理　由】
第１　本件商標 
　本件登録第２５１４４１７号商標（以下「本件商標」という。）は、別掲（１）のとおりの構成よりなり、平成２年１０月１２日に登録出願、第１７類に属する商標登録原簿に記載のとおりの商品を指定商品として、平成５年３月３１日に設定登録され、その後、平成１４年１０月１５日に商標権存続期間の更新登録がされ、また、指定商品については、平成１５年３月１２日に第５類「失禁用おしめ」、第９類「事故防護用手袋，防火被服，防じんマスク，防毒マスク，溶接マスク」、第１０類「医療用手袋」、第１６類「紙製幼児用おしめ」、第１７類「絶縁手袋」、第２０類「クッション，座布団，まくら，マットレス」、第２１類「家事用手袋」、第２２類「衣服綿，ハンモック，布団袋，布団綿」、第２４類「布製身の回り品，かや，敷布，布団，布団カバー，布団側，まくらカバー，毛布」及び第２５類「洋服，コート，セーター類，ワイシャツ類，寝巻き類，和服，下着，水泳着，水泳帽，エプロン，えり巻き，靴下，ゲートル，毛皮製ストール，ショール，スカーフ，足袋，足袋カバー，手袋，布製幼児用おしめ，ネクタイ，ネッカチーフ，バンダナ，保温用サポーター，マフラー，耳覆い，ずきん，すげがさ，ナイトキャップ，ヘルメット，帽子」とする書換の登録がされたものである。 
　 
第２　請求人の主張 
　請求人は、結論同旨の審決を求めると申し立て、その理由及び答弁に対する弁駁を要旨次のように述べ、証拠方法として、甲第１号証を提出した。 
１　請求の理由 
　本件商標は、継続して３年以上日本国内において、商標権者、専用使用権者又は通常使用権者のいずれかによって使用された事実は存在しないから、商標法第５０条第１項の規定により、その登録を取り消されるべきである。２　答弁に対する弁駁 
（１）乙第１ないし３号証について 
　乙第１ないし３号証は、被請求人（商標権者）の住所が電話帳に記載された「テリヤスポーツ」の住所と合致していること、及び被請求人が「テリヤスポーツ」の経営者であることを示す証拠として提出されたものであり、本件商標の使用について証明するものではない。また、乙第１号証は、１９９３年８月２７日現在のものであり、本件審判の請求の登録前３年以内に登録商標を指定商品について使用しているものとはいえない。さらに、乙第２号証に表示された犬の図形は、本件商標中の犬の図形部分（以下「本件犬図形」という。）のみと類似するものであるから、本件商標と社会通念上同一性のある商標の使用とはいえない。 
（２）乙第４ないし６号証について 
　被請求人は、乙第４号証の表記から、「Ｓｃｏｔｔｉｓｈ　ｔｅｒｒｉｅｒ」が「Ｓｃｏｔｃｈ　ｔｅｒｒｉｅｒ」と同一であると主張し、乙第５、６号証の記載から、「スコティッシュ・テリヤは他の１７種類のテリヤとは形状が異なっており、他のテリヤ犬とは混同されることはない。」と主張する。 
　しかしながら、乙第４ないし６号証は、単に犬の種類の説明をするものにすぎず、本件商標の使用の事実を何ら立証するものではない。 
（３）乙第７ないし１０号証について 
　（ア）被請求人は、乙第７ないし１０号証（商品の写真）について、平成１６年１１月９日に撮影したと説明するが、当該写真の撮影者の氏名及び住所が明らかでないから、請求人は、上記の点ついて被請求人に釈明を求める。 
　（イ）被請求人は、乙第７ないし１０号証に表示された犬の図形の使用をもって、本件商標と社会通念上同一の商標を使用していると主張するが、乙第７ないし１０号証に表示された商標は、本件商標と社会通念上同一の商標ではない。すなわち、乙第７ないし１０号証に表示された商標は、本件商標にある「スコッチ　テリヤ」及び「ＳＣＯＴＣＨ　ＴＥＲＲＩＥＲ」の各文字がない。 
　また、乙第７号証に表示された犬の図形と本件犬図形とを対比すると、(a)犬の首部分に巻かれたリボンについて、リボンの結び目や皺が明確である本件犬図形に対し、乙第７号証のそれは、結び目や皺がなく、花のようなデザインが施されているかのように見える。(b)犬の鼻部分の形状について、本件犬図形においては丸い鼻先であるのに対し、乙第７号証のそれは、鋭角に尖った形状の鼻先であり、同一形状の犬の図形であるとはいえない。 
　さらに、乙第７号証に表示された犬の図形は、あたかもアイロンプリントにおいて即席にＴシャツに付されたものであるかのような印象を受ける。Ｔシャツは、襟元のタグ等に商標が使用されていることが一般的であると考えるが、乙第７号証のＴシャツには、そのようなタグは見受けられないばかりか、犬の図形の位置についても、通常のＴシャツであれば左胸ポケットのある位置あたりに付されるものであるが、乙第７号証の犬の図形は、内側寄りで、かつ、かなり上方に位置し、Ｔシャツ全体としてみた上で、不自然な印象が否めない。よって、このような証拠をもって、本件商標の使用を認めることは妥当でない。 
　乙第８号証中、下段に示されたタグ部分の写真からは、タグがズボン本体から浮かび上がっているような印象を受け、また、タグをズボン本体に取り付けられたときに生ずる縫い目が見られない。よって、乙第８号証の写真は、即席にタグをズボン上に置いた状態で写真が撮影された可能性があるといわざるを得ない。 
　したがって、乙第７ないし１０号証に表示された商標は、本件犬図形と類似する図形のみの使用であり、外観において同視される図形からなる商標でもなく、また、商標法第５０条にいう社会通念上同一の商標にも該当しないものであるから、本件審判の請求の登録前３年以内の本件商標の使用の事実を立証するものではない。 
　（ウ）スコティッシュテリアという犬の種類が、他のテリア犬と異なる形状をしており、スコティッシュテリアがスコッチテリアと呼ばれることがあるとしても、「スコティッシュテリアのような図形」の使用をしていれば、本件商標の使用に該当するとの被請求人の主張は失当である。前記のとおり、本件商標の場合は、片仮名の「スコッチ　テリヤ」、欧文字の「ＳＣＯＴＣＨ　ＴＥＲＲＩＥＲ」及び願書に記載された犬の図形の全体をもって、本件商標の使用であるというべきである。 
　この点につき、本件商標の商品区分の一つである第２５類においては、テリア犬をモチーフとした登録商標は多数存在し、その首部分にリボンや首輪らしきデザインが施された商標が多数存在する（甲第１号証）。このことは、その犬の図形としての類似範囲の狭さを表すものと考えられるのであり、商標法第５０条第１項における社会通念上同一の商標についての判断においても、同様に、同一性は狭く判断されるべきである。 
（４）乙第１１ないし２１号証について 
　被請求人は、乙第７号証に示した商品が販売された証拠として乙第１２、１４、１７及び１８号証の納品書を、乙第８号証に示した商品が販売された証拠として乙第１１、１３、１５ないし１７、１９及び２０号証の納品書を、乙第９号証に示した商品が販売された証拠として乙第１７号証の納品書を、さらに、乙第１０号証に示した商品が販売された証拠として乙第２１号証の売上補助帳を提出しているが、乙第１１ないし１３号証の日付は、本件審判の請求の登録前３年以内に該当しない。 
　また、乙第１４ないし２１号証からは、Ｔシャツやサッカーパンツ、試合ロングパンツ、ハーフパンツ及びベストが販売された事実は窺えても、これらの納品書と乙第７ないし１０号証の商品とを結びつける客観的証拠は何ら存在しないから、販売された商品に本件商標と社会通念上同一性のある商標が付されたか否かは明らかでない。 
　さらに、乙第１２、１４、１７及び１８号証の納品書に記載のＴシャツは、その単価が３０００円（税込）（乙第１２号証）、２２００円（税込）（乙第１４及び１７号証）、２４５０円（税込）（乙第１８号証）と多様であり、同一のＴシャツが複数日において販売されたとする証拠としては、疑問である。 
　また、同様に、乙第１１、１３、１５ないし１７、１９及び２０号証の納品書によると、サッカーパンツ、試合ロングパンツは、その単価が３１００円（税込）（乙第１１、１５、１７及び２０号証）、３３００円（税込）（乙第１６号証）、４５００円（税込）（乙第１３及び１９号証）と多様であり、同一のパンツが複数日において販売されたとする証拠としては、疑問である。 
　以上のように、実際に使用している商品とその納品書等との関連付けができない以上、これら証拠をもって、本件審判の請求の登録前３年以内に日本国内において、本件商標をその指定商品に使用をしているとは認められない。 
（５）むすび 
　以上述べたとおり、乙第１ないし２１号証は、いずれも本件商標の使用の事実を立証するものではない。 
　 
第３　被請求人の答弁 
　被請求人は、「本件審判の請求は成り立たない。審判費用は請求人の負担とする。」との審決を求めると答弁し、その理由を要旨次のように述べ、証拠方法として、乙第１ないし２１号証を提出した。 
１　被請求人について 
（１）被請求人の住所は、広島市中区住吉町８番１２号であり、この住所は乙第１号証（ＮＴＴ職業別電話帳、１９９３年８月２７日現在、広島県、広島市・廿日市市・大竹市地方、上巻）の１１１４頁右下部及び乙第２号証（ＮＴＴ職業別電話帳、２００３年９月１７日現在、広島市中央版）の５３３頁右下部に記載された広告「テリヤスポーツ」の住所と合致している。 
（２）乙第３号証（野村証券広島支店からの２００４年１１月１０日付ＦＡＸ）には「テリヤスポーツ社長番匠良次様」と記載されている。 
（３）乙第１ないし３号証から分かるように、被請求人は個人経営商店「テリヤスポーツ」の経営者である。 
２　使用に係る商標中の犬の図形について 
（１）乙第４号証（研究社新英和中辞典）の１５９６頁に「Ｓｃｏｔｃｈ　ｔｅｒｒｉｅｒ」が図示され、「スコッチテリア」と日本語訳が記載され、また、１５９７頁には、「Ｓｃｏｔｔｉｓｈ　ｔｅｒｒｉｅｒ」と「Ｓｃｏｔｃｈ　ｔｅｒｒｉｅｒ」は同一と記載されている。 
（２）乙第５号証（インターネットホームページの「スコティッシュ・テリヤ」に関する記事）の１頁２行目には「スコッティー／スコッチ・テリヤ」と記載され、２頁の上段右端にはスコッチテリヤのシュタイフ製ぬいぐるみが記載されている。 
（３）乙第６号証（株式会社新星出版社、２００４年４月１５日発行の「世界の犬カタログ」）の１０頁右列ＰＡＲＴ４から分かるように、その８５頁から１０４頁には１８種類のテリヤが記載されており、その内９９頁にはスコティッシュ・テリヤが記載されている。そして、スコティッシュ・テリヤは、他の１７種類のテリヤとは形状が異なっており、他のテリヤ犬と混同されることはない。 
（４）乙第４号証のスコッチテリヤの図形、乙第５号証のスコティシュ・テリヤのぬいぐるみの写真、乙第６号証のスコッチ・テリヤの写真からして、乙第１、２号証の右下のテリヤスポーツの広告に画かれている犬の図形は、スコッチ・テリヤであることは明らかである。 
３　販売実績 
（１）乙第７号証（スコッチテリヤの図形を表示したＴシャツの写真）のＴシャツと完全同一種類のＴシャツは、乙第１８号証（納品書（控））のＭ寸に示すように販売されている。また、略同一種類のＴシャツは乙第１８号証のＳ寸、乙第１２、１４及び１７号証の納品書（控）に示すように、本件審判の請求の登録日前に販売されている。 
（２）乙第８号証（スコッチテリヤの図形を表示したパンツの写真）のパンツと完全同一種類のパンツは、試合用ロングパンツで乙第１９号証（納品書（控））に示すように販売されており、略同一種類のパンツは乙第１１、１３、１５ないし１７、２０号証（いずれも納品書（控））に示すように、サッカーパンツ、試合用ロンパン、試合用パンツ、試合用ロングパンツとして、本件審判の請求の登録日前に販売されている。 
（３）乙第９号証（ハーフパンツの写真）と完全同一種類のハーフパンツは、乙第１７号証（納品書（控））のハーフパンツＪＲに示すように、また、略同一種類のハーフパンツは乙第１７号証のＭ寸に示すように、本件審判の請求の登録日前に販売されている。 
（４）乙第１０号証（スコッチ・テリヤの図形を表示したベストの写真）は、乙第２１号証（売上補助帳）の右頁中程の平成１５年４月７日緑ベストＨＯＦＵＣＨＵＯ　ＬＩＯＮＳと完全同一種類のベストであり、同売上補助帳には、略同一種類のベストの、本件審判の請求の登録日前の平成１１年２月５日から平成１６年７月７日にかけての販売が記載されている。 
４　むすび 
　本件商標は、上段に「スコッチテリヤ」の文字、中段に「スコッチテリヤ」の図形、下段に「ＳＣＯＴＣＨ　ＴＥＲＲＩＥＲ」と記載された商標である。そして、乙第１、２、７ないし１０号証に表示された犬の図形は、スコッチテリヤであり、被請求人は、指定商品中、Ｔシャツ、サッカーパンツ、ハーフパンツ、ベストに社会通念上登録商標と同一と認められる商標を使用している。 
　したがって、本件商標は、商標法第５０条の規定に基づき、その登録が取り消されるべきものではない。 
　 
第４　当審の判断 
１　被請求人は、乙第１、２、７ないし１０号証に表示された犬の図形は、スコッチテリヤであるから、使用に係る商標は、本件商標と社会通念上同一の商標である旨主張するので、使用に係る商標が本件商標と社会通念上同一の商標であるか否かについて以下検討する（なお、乙第１号証は、本件審判の請求の登録（平成１６年１０月２０日）前３年以内のものとは認められない。）。 
２　乙第２、７ないし１０号証及び答弁の理由によれば、以下の事実が認められる。 
（１）乙第２号証は、２００３年９月１７日現在の情報が掲載された「ＮＴＴ西日本／デイリータウンページ／広島市中央版」であるところ、その５３３頁には、別掲（２）のとおり、「テリヤ」の文字が大きく書され、その右にやや図案化された犬の図形が表示され、該図形の下に「スポーツ」の文字が小さく書されている。 
（２）乙第７号証は、２００４年１１月９日に撮影されたＴシャツの写真２葉であるところ、該Ｔシャツの左胸部分には、赤色ではあるものの、色彩を同一にすれば上記（１）の犬の図形部分と酷似する犬の図形が表示されている。 
（３）乙第８号証は、２００４年１１月９日に撮影されたサッカーパンツの写真２葉であるところ、該サッカーパンツのベルトループ左下部分に、上記（１）の犬の図形部分と酷似する犬の図形及びその右に「テリヤ」の文字が大きく表示されている。 
（４）乙第９号証は、２００４年１１月９日に撮影された短パンの写真１葉であるところ、該短パンのウエスト部に、乙第８号証に表示されたものと同様の犬の図形及び「テリヤ」の文字が大きく表示されている。但し、乙第９号証の犬の図形には青色が、また、「テリヤ」の文字には赤色が施されている。 
（５）乙第１０号証は、２００４年１１月９日に撮影されたベストの写真２葉であるところ、該ベストの後ろ身頃の襟部内側に、「ＴＥＲＲＩＥＲ　ＢＲＡＮＤ」の文字、その下に上記（１）の犬の図形部分と酷似する犬の図形及び該図形の下に「ＳＰＯＲＴＳ　ＷＥＡＲ」の文字が表示された織りネームが付されている。 
３　前記２で認定した事実によれば、使用に係る商標は、犬の図形のみが表示された乙第７号証のＴシャツを除けば、犬の図形に「テリヤ」の文字若しくは「ＴＥＲＲＩＥＲ　ＢＲＡＮＤ」の文字が付加された構成よりなるものである。 
　これに対し、本件商標は、別掲（１）のとおり、その構成中、中央にやや図案化された犬の図形（本件犬図形）を顕著に表し、該図形の上段に「スコッチテリヤ」の文字を、また、図形の下段に「ＳＣＯＴＣＨ　ＴＥＲＲＩＥＲ」の文字を横書きしてなるものである。 
　ところで、乙第４ないし６号証によれば、犬の一種類であるテリアには、１８種類のものがあり、「スコッチテリア（スコティッシュ・テリア）」はそのうちの一種類であることが認められる。 
　しかしながら、本件商標の指定商品である被服等の分野における主たる需要者は、老若男女を含めた一般の消費者であり、このような需要者がテリアの種類を必ずしも熟知しているとは限らず、むしろ、テリアの特徴を備えた犬を総称的にテリアと認識する場合が多いとみるのが相当であるのみならず、前記認定のとおり、使用に係る商標における犬の図形及び本件犬図形は、いずれもやや図案化されて表現されているものである。 
　そうすると、本件商標に接する需要者は、その構成中の本件犬図形については、その上下に書された「スコッチテリヤ」及び「ＳＣＯＴＣＨ　ＴＥＲＲＩＥＲ」の各文字によりはじめて「スコッチテリア犬」を表したと理解するというのが相当である。 
　したがって、本件商標は、構成全体をもって、「スコッチテリヤ（スコッチテリア犬）」の称呼及び観念を生ずるものといわなければならない。 
　他方、使用に係る商標に接する需要者も、「テリヤ」若しくは「ＴＥＲＲＩＥＲ」の文字により、いわゆるテリア犬を総称的に表したと理解するというのが相当であり、また、使用に係る商標のうち、犬の図形のみが表示されたものに接する需要者は、犬の総称的な一種類であるテリアを表したと理解はするものの、直ちに「スコッチテリア犬」を表したと理解することはきわめて困難であるというのが相当である。 
　したがって、使用に係る商標は、これより「テリヤ（テリア）」の称呼及び観念を生ずるものといわなければならない。 
　以上によれば、本件商標と使用に係る商標とは、同一の称呼及び観念を生ずる商標ということはできないし、外観上も明らかに相違するものというべきであるから、使用に係る商標は、本件商標と社会通念上同一の商標と認めることはできない。 
４　以上のとおり、被請求人は、本件審判の請求の登録前３年以内に日本国内において、商標権者、専用使用権者又は通常使用権者のいずれかが本件請求に係る指定商品のいずれかについて、本件商標を使用したことを証明したものと認めることはできない。また、被請求人は、本件商標を使用していないことについて正当な理由があることを明らかにしていないものである。 
　したがって、本件商標の登録は、商標法第５０条の規定により、取り消すべきものである。 
　よって、結論のとおり審決する。